(57)【要約】【課題】作業者がより楽に掃除を行える柄付掃除用具を提供すること。【解決手段】柄２の端部に掃除部材３を備えた柄付掃除用具１であって、この柄２は竹製であり、さらにこの柄２の一部には、その長さ方向に切れ目４が設けられている。柄付掃除用具１を使用する際に、柄２に力が加わると、切れ目４が設けられた柄部分がくの字形に曲がり、掃除部材３が清掃面に密着する。さらにこの曲がった状態で、柄２に加わる力が一定以下になると、竹の剛性により切れ目４が設けられた柄部分が元の形状に戻る。【選択図】        図４
2004305402.tif 000002
【特許請求の範囲】
【請求項１】
柄の端部に掃除部材を備えた柄付掃除用具であって、
前記柄の一部に他の部位より大きくしなる弾性部を設けたことを特徴とする柄付掃除用具。
【請求項２】
前記弾性部が、前記柄の長さ方向に沿った切れ目を設けた竹であることを特徴とする請求項１に記載の柄付掃除用具。
【請求項３】
前記弾性部を、柄付掃除用具の重心近傍に設けたことを特徴とする請求項１に記載の柄付掃除用具
【発明の詳細な説明】
【０００１】
【発明の属する技術分野】
本発明は、柄の端部に掃除部材を備えた柄付掃除用具に関し、特に柄の一部がしなる構造を有する柄付掃除用具に関する。
【０００２】
【従来の技術】
従来から、畳、床、タイル等を掃除するための掃除用具として、ほうき、モップ、デッキブラシなどの柄の端部に掃除を行う掃除部材を備えた柄付掃除用具がある。これらの柄付掃除用具は、作業者が立ったまま比較的無理のない姿勢で掃き掃除や拭き掃除を行うことができ、また手の届きにくい場所を掃除する際にも便利なため、広く使用されている。
【０００３】
【発明が解決しようとする課題】
しかしながら、従来の技術では以下の問題点があった。
柄付掃除用具を用いて掃除を行う際、作業者は先ず柄付掃除用具の柄に力をかけて床面に掃除部材を密着させ、続いて掃除部材を床面に沿って動かすといった動作を繰り返し、汚れやほこりを取り除く。この一連の動作自体は単純で労力を要さないが、掃除を行う面（以下、適宜清掃面と称する）が広範囲であったり、作業が長時間になったりすると、単純な動作でも作業者にとっては負担が大きくなるといった問題点があった。
【０００４】
本発明は上記に鑑みてなされたものであって、作業者がより楽に掃除を行える柄付掃除用具を提供することを目的とする。
【０００５】
【課題を解決するための手段】
上記の目的を達成するために、請求項１に記載の柄付掃除用具は、柄の端部に掃除部材を備えた柄付掃除用具であって、前記柄の一部に他の部位より大きくしなる弾性部を設けたことを特徴とする。
【０００６】
すなわち、請求項１に係る発明は、柄付掃除用具の使用の際に、弾性部がしなり力を分散させるため、掃除部材を清掃面に密着させるために入れた力を適度に逃がすことができ、作業者は力を入れ過ぎずに済む。換言すれば、軽い力で掃除部材を清掃面に密着させることができる。また、しなった状態からは、その復元力により楽に掃除部材を動かすことが可能となる。尚、掃除部材は特に限定されることはなく、ブラシ、スポンジ、ほうきの先はもとより、すべての掃除を行う部材を含むものである。
【０００７】
また、弾性部は他の部位より大きくなければ、その素材は特に限定されない。例えば、次に示す切れ目を入れた竹材であってもよいし、ゴムチューブやコイルバネであってもよい。
【０００８】
また、しなるとは柄の部分が２つの方向を向くことを意味し、「弧を描く」ことはもとより、例えばバネ入の継手を介して「折れ曲がる」ことも含むものとする。
【０００９】
また、請求項２に記載の柄付掃除用具は、請求項１に記載の柄付掃除用具において、前記弾性部が、前記柄の長さ方向に沿った切れ目を設けた竹であることを特徴とする。
【００１０】
すなわち、請求項２に係る発明は、柄付掃除用具の使用の際に柄に力がかかると、切れ目部分がくの字形に曲がり、軽い力で掃除部材が清掃面に密着する。また、従来からよく用いられている竹材に切れ目を入れるだけなので、柄付掃除用具を安価に提供できる。
【００１１】
また、請求項３に記載の柄付掃除用具は、請求項１に記載の柄付掃除用具において、前記弾性部を柄付掃除用具の重心近傍に設けたことを特徴とする。
【００１２】
すなわち、請求項３に係る発明は、弾性部を重心近傍に設けることによって、柄にかかる力をうまく分散させることができる。尚、弾性部を設ける具体的な位置としては、掃除部材から３０ｃｍ以上７０ｃｍ以下の位置が適当である。
【００１３】
【発明の実施の形態】
以下、本発明の実施の形態を図面を参照しながら詳細に説明する。図１は、本実施の形態の柄付掃除用具の全体図である。図２は、図１に示した柄付掃除用具のうち柄の一部を拡大した図である。図３は、図２に示した柄のＡ―Ａ′断面図である。
【００１４】
図１に示したように、本実施の形態の柄付掃除用具１は、柄２とこの柄２の端部に設けられた掃除部材３とで構成されている。柄２の素材としては、竹が用いられている。また掃除部材３としては、ほうきの先が用いられている。
【００１５】
柄２には、図１、図２に示したように、掃除用部材３が設けられた側の端部から約６０ｃｍの箇所に、柄の長さ方向に沿って５ｃｍ程度の切れ目４が設けられている。この切れ目４は、図３に示したように、互いに対向するように二箇所設けられている。切れ目４が設けられたことにより、柄２には弾性力が生じ易くなり、柄付掃除用具１の使用時に柄２にかかる力によって曲がる構造となっている。尚、この切れ目４が設けられた柄部分を、以下、適宜弾性部５と称する。
【００１６】
図４は本実施の形態の柄付掃除用具を使用した際の状態を示した図である。掃除中、作業者が掃除部材３を清掃面に密着させるために、柄２に力を加えると弾性部５は軽い力で図４に示したようにくの字形に曲がった状態となる。続いてごみを掃き取るために作業者が清掃面に沿って掃除部材３を滑らせると、弾性部５にかかっていた力が逃げる。このように力が逃げることによって、弾性部５にかかる力が一定以下になると、弾性部５は元の形状に戻り柄付掃除用具１は図３に示したようになる。柄付掃除用具１の使用中、上述した弾性部５が曲がったり、元の形状に戻ったりする動きが繰り返される。
【００１７】
なお、上述の実施の形態では、柄２の素材としては竹を用いたが、本発明の柄付掃除用具はこれに限定されるものではない。柄２の素材としては、柄付掃除用具１を使用しない状態では切れ目４が設けられた柄部分が変形しない硬さをもち、作業中に一定以上の力が柄２にかかると切れ目４が設けられた柄部分が曲がり、加わった力が一定以下になるその弾性力により元の形状に戻るものであればよい
【００１８】
また、切れ目４を設ける数、切れ目４の長さも上述の実施の形態に限定されるものではない。また、上記実施の形態では切れ目４を掃除部材３から約６０ｃｍの位置に設ける構成としたが、本発明の柄付掃除用具は、これに限定されるものではない。しかしながら、好ましい位置としては柄付掃除用具の重心近傍であり、具体的には、掃除部材３から３０ｃｍ以上６０ｃｍ以下である。
【００１９】
また、上述の実施の形態では、柄２と弾性部５が一体形成された構成としたが、柄２と弾性部５とを別々の部材にする構成にしても良い。弾性部５の部材としては、例えば図５（ａ）に示したようにバネ６や、図５（ｂ）に示したように自在継手７などを用いることもできる。この弾性部の部材としては、柄付掃除用具を使用しない状態では変形せず、一定以上の力が加わるとしなり、加わった力が一定以下になると元の形状に戻る弾性を有するものであればよい。
【００２０】
また、上述の実施の形態では掃除部材３としてほうきの先を用いたが、これに限定するものではなく、ブラシ、モップ、スポンジ等広い範囲の掃除を行う部材を用いることができる。また、使用の態様によっては、電気掃除機に適用してもよい。
【００２１】
【発明の効果】
以上説明したように、本発明の柄付掃除用具（請求項１）は、柄の端部に掃除部材を備えた柄付掃除用具であって、前記柄の一部に他の部位より大きくしなる弾性部が設けられているので、柄付掃除用具の使用の際に弾性部がしなり力を分散させるため、掃除部材を清掃面に密着させるために入れた力を適度に逃がすことができ、作業者は力を入れ過ぎずに済む。換言すれば、軽い力で掃除部材は清掃面に密着するので、作業者はより楽に掃除を行うことができる。
【００２２】
また、弾性部材がしなることにより、弾性部から見て掃除部材が設けられた側の柄が大きく曲がるので、一度の動作でより広い面積を掃除することができるようになり、作業者は楽に掃除を行うことができる。
【００２３】
また、しなった状態からはその復元力により楽に掃除部材を動かすことができ、作業者は楽に掃除を行うことができる。
【００２４】
また、本発明の柄付掃除用具（請求項２）は、請求項１に記載の柄付掃除用具において、前記弾性部が、前記柄の長さ方向に沿った切れ目を設けた竹であるので、柄付掃除用具の使用の際に柄に力がかかると、切れ目部分がくの字形に曲がり、軽い力で掃除部材を清掃面に密着させることができ、作業者は楽に清掃を行うことができる。また、切れ目部分がしなることによって柄が曲がるので、一度の動作で掃除部材が掃除する面積が広くなり、楽に掃除を行うことができる。
【００２５】
また、本発明の柄付掃除用具（請求項３）は、請求項１に記載の柄付掃除用具において、前記弾性部が、前記柄付掃除用具の重心近傍に設けられているので、柄にかかる力をうまく分散させることができる。作業者は楽に掃除を行うことができる。
【図面の簡単な説明】
【図１】本実施の形態の柄付掃除用具の全体図である。
【図２】図１に示した柄付掃除用具のうち柄の一部を拡大した図である。
【図３】図２に示した柄のＡ―Ａ´断面図である。
【図４】本実施の形態の柄付掃除用具を使用した際の状態を示した図である。
【図５】本発明の柄付掃除用具の弾性部を示した図である。
【符号の説明】
１    柄付掃除用具
２    柄
３    掃除部材
４    切れ目
５    弾性部
【図１】
2004305402.tif 000003
【図２】
2004305402.tif 000004
【図３】
2004305402.tif 000005
【図４】
2004305402.tif 000006
【図５】
2004305402.tif 000007